(57)【要約】多重コンポーネントキャリアシステムにおけるハンドオーバの実行方法において、端末が少なくとも一つのセルに対する測定値を含む測定報告メッセージをソース基地局に送信し、ソース基地局が測定値に基づき、ターゲット基地局で使われる少なくとも一つの候補セルを含む候補セルリスト、端末の性能を考慮した集約可能な少なくとも一つのセルを含む集約可能セルリスト、及び測定された周波数類似感度として定義される少なくとも一つのセルを含むセンシブルセルリストのうち、少なくとも一つのリストを含むハンドオーバ要求メッセージをターゲット基地局に送信し、ソース基地局が前記少なくとも一つのリストに含まれているセルを確認して決定された最終セルを含むハンドオーバＡＣＫメッセージをターゲット基地局から受信してハンドオーバを決定し、及びソース基地局が端末にハンドオーバ指示メッセージを送信することを含む。
2013534792.tif 000002
【特許請求の範囲】
【請求項１】
多重コンポーネントキャリアシステムにおけるソース基地局によるハンドオーバの実行方法において、
搬送波集約(ｃａｒｒｉｅｒ ａｇｇｒｅｇａｔｉｏｎ)により設定された少なくとも一つのセルに対する測定結果を含む測定報告を端末から受信し、
前記少なくとも一つのセルを前記測定結果の大きさ順に整列した候補セルリスト(ｃａｎｄｉｄａｔｅ ｃｅｌｌ ｌｉｓｔ)を含むサービス状態情報を構成し、
前記端末をターゲット基地局にハンドオーバ(ｈａｎｄｏｖｅｒ)するように要求するハンドオーバ要求メッセージに前記サービス状態情報を含んで前記ターゲット基地局に送信し、
前記ハンドオーバを受諾することを示すハンドオーバＡＣＫメッセージを前記ターゲット基地局から受信し、
前記ハンドオーバを指示するハンドオーバ指示メッセージを前記端末に送信すること、を含むことを特徴とするハンドオーバ実行方法。
【請求項２】
前記候補セルリストは、前記測定結果が大きいセルから小さいセルの順序に前記少なくとも一つのセルを整列したものであることを特徴とする請求項１に記載のハンドオーバ実行方法。
【請求項３】
前記サービス状態情報は、前記測定結果をさらに含むことを特徴とする請求項１に記載のハンドオーバ実行方法。
【請求項４】
前記測定結果は、基準信号受信パワー(Ｒｅｆｅｒｅｎｃｅ Ｓｉｇｎａｌ Ｒｅｃｅｉｖｅｄ Ｐｏｗｅｒ；ＲＳＲＰ)又は基準信号受信品質(Ｒｅｆｅｒｅｎｃｅ Ｓｉｇｎａｌ Ｒｅｃｅｉｖｅｄ Ｑｕａｌｉｔｙ；ＲＳＲＱ)であることを特徴とする請求項３に記載のハンドオーバ実行方法。
【請求項５】
多重コンポーネントキャリアシステムにおけるターゲット基地局によるハンドオーバの実行方法において、
搬送波集約により設定された少なくとも一つのセルをその測定結果の大きさ順に整列した候補セルリストを含むサービス状態情報を、ハンドオーバ要求メッセージを介してソース基地局から受信し、
前記ハンドオーバを受諾することを示すハンドオーバＡＣＫメッセージを前記ソース基地局に送信すること、を含むことを特徴とするハンドオーバ実行方法。
【請求項６】
前記候補セルリストは、前記測定結果が大きいセルから小さいセルの順序に前記少なくとも一つのセルを整列したものであることを特徴とする請求項５に記載のハンドオーバ実行方法。
【請求項７】
前記サービス状態情報は、前記測定結果をさらに含むことを特徴とする請求項５に記載のハンドオーバ実行方法。
【請求項８】
前記測定結果は、基準信号受信パワー又は基準信号受信品質であることを特徴とする請求項７に記載のハンドオーバ実行方法。
【請求項９】
多重コンポーネントキャリアシステムにおけるハンドオーバを実行するソース基地局において、
搬送波集約により設定された少なくとも一つのセルに対する測定結果を含む測定報告を端末から受信する測定報告受信部と、
前記少なくとも一つのセルを前記測定結果の大きさ順に整列した候補セルリストを構成するセルリスト構成部と、
前記端末をターゲット基地局にハンドオーバするように要求するハンドオーバ要求メッセージに前記候補セルリストを含んで前記ターゲット基地局に送信し、前記ハンドオーバを受諾することを示すハンドオーバＡＣＫメッセージを前記ターゲット基地局から受信するメッセージ送受信部と、を含むことを特徴とするソース基地局。
【請求項１０】
前記ハンドオーバ要求メッセージは、前記測定結果をさらに含むことを特徴とする請求項９に記載のソース基地局。
【請求項１１】
前記測定結果は、基準信号受信パワー又は基準信号受信品質であることを特徴とする請求項１０に記載のソース基地局。
【請求項１２】
前記セルリスト構成部は、前記測定結果が大きいセルから小さいセルの順序に前記少なくとも一つのセルを整列して前記候補セルリストを構成することを特徴とする請求項９に記載のソース基地局。
【請求項１３】
多重コンポーネントキャリアシステムにおける端末によるハンドオーバの実行方法において、
搬送波集約により設定された少なくとも一つのセルに対する測定結果及び前記少なくとも一つのセルを前記測定結果の大きさ順に整列した候補セルリストを含む測定報告をソース基地局に送信し、
ターゲット基地局にハンドオーバするように指示するハンドオーバ指示メッセージを前記ソース基地局から受信し、
前記候補セルリストに含まれている、前記ターゲット基地局で使われることができるセルを再設定すること、を含むことを特徴とするハンドオーバ実行方法。
【発明の詳細な説明】
【技術分野】
【０００１】
本発明は、無線通信に関し、より詳しくは、多重コンポーネントキャリアシステムにおけるハンドオーバの実行装置及び方法に関する。
【背景技術】
【０００２】
セルラー(ｃｅｌｌｕｌａｒ)コミュニケーションは、サービス地域の制限、周波数、及び加入者収容力の限界を克服するために提案された概念である。これは高出力の単一基地局を低出力の複数基地局に変えて通話圏を提供する方式である。即ち、移動通信サービス地域を複数個の小さいセル(ｃｅｌｌ)単位に分けて隣接したセルには、各々、異なる周波数を割り当て、互いに十分に遠く離れて干渉発生のない２つのセルでは同じ周波数帯域を使用することで空間的に周波数を再使用することができるようにした。
【０００３】
ハンドオーバ(ｈａｎｄｏｖｅｒ)とは、端末の移動につれて現在の通信サービス地域(以下、サービングセル(ｓｅｒｖｉｎｇ ｃｅｌｌ)という)を離脱して隣接した通信サービス地域(以下、隣接セル(ｎｅｉｇｈｂｏｕｒ ｃｅｌｌ)という)へ移動する時、隣接した通信サービス地域の新たなトラフィックチャネル(ｔｒａｆｆｉｃ ｃｈａｎｎｅｌ)に同調(ｔｕｎｉｎｇ)されて持続的に通話状態を維持するようにする機能のことである。特定基地局と通信している端末は、その特定基地局(以下、ソース基地局(ｓｏｕｒｃｅ ｂａｓｅ ｓｔａｔｉｏｎという)での信号強度が弱くなると、ハンドオーバにより他の隣接基地局(以下、ターゲット基地局(ｔａｒｇｅｔ ｂａｓｅ ｓｔａｔｉｏｎ)という)にリンク(ｌｉｎｋ)される。ハンドオーバが行われると、隣接セルへの移動時に発生する呼切断の問題点が解決されることができる。
【０００４】
一般に、無線通信システムは、一般的にデータ送信のために一つの帯域幅を用いる。例えば、２世代無線通信システムは、２００ＫＨｚ〜１.２５ＭＨｚの帯域幅を使用し、３世帯無線通信システムは、５ＭＨｚ〜１０ＭＨｚの帯域幅を使用する。増加する送信容量をサポートするために、最近の３ＧＰＰ ＬＴＥ又は８０２.１６ｍは、２０ＭＨｚ又はその以上までその帯域幅を拡張している。送信容量を高めるために帯域幅を増やすことは必須であるが、要求されるサービスの水準が低い場合にも大きい帯域幅をサポートすることは大きな電力消耗を引き起こすことがある。
【０００５】
このような問題を解決するため、一つの帯域幅と中心周波数を有するコンポーネントキャリアを定義し、複数のコンポーネントキャリアを介して広帯域にデータが送信又は受信される多重コンポーネントキャリア(Ｍｕｌｔｉｐｌｅ Ｃｏｍｐｏｎｅｎｔ Ｃａｒｒｉｅｒ)システムが登場している。一つ又はそれ以上のコンポーネントキャリアを使用することによって狭帯域と広帯域を同時にサポートするものである。例えば、一つのコンポーネントキャリアが５ＭＨｚの帯域幅に対応される場合、４個のコンポーネントキャリアを使用することによって最大２０ＭＨｚの帯域幅をサポートするものである。
【０００６】
しかしながら、単一コンポーネントキャリアを使用する基地局でのハンドオーバのみを考慮するため、基地局は、端末が測定(Ｍｅａｓｕｒｅｍｅｎｔ)して報告した単一セル(Ｓｉｎｇｌｅ Ｃｅｌｌ)のみを考慮してハンドオーバを実行した。しかしながら、多重コンポーネントキャリアシステムの場合、多重コンポーネントキャリアを考慮してハンドオーバ手順を実行しなければならない。そのために、ターゲット基地局は、ハンドオーバ手順を介して端末に必要なコンポーネントキャリアを設定し、端末がソース基地局から提供を受けた水準のサービス品質が提供可能でなければならない。このとき、ターゲット基地局は、端末がハンドオーバ以前にサービス提供状況を正確に知ることができないため、適正な水準のコンポーネントキャリア設定又は適するコンポーネントキャリア設定が難しいという問題がある。したがって、多重コンポーネントキャリアを考慮したハンドオーバ実行装置及び方法が要求される。
【発明の概要】
【発明が解決しようとする課題】
【０００７】
本発明の態様は、多重コンポーネントキャリアシステムにおいて、端末がハンドオーバのため新たな基地局で使用するコンポーネントキャリアを選択すると、以前の基地局でのサービス提供状態を新たな基地局に知らせて最適のコンポーネントキャリア又はセルを選択する方法を提供することである。
【０００８】
本発明の態様は、多重コンポーネントキャリアシステムにおいて、ソース基地局が、端末により測定された測定値に基づき、ターゲット基地局で使われる少なくとも一つの候補セルを含む候補セルリストを構成する方法及び装置を提供することである。
【０００９】
本発明の態様は、多重コンポーネントキャリアシステムにおいて、ソース基地局が、端末の性能(Ｃａｐａｂｉｌｉｔｙ)を考慮して集約可能な少なくとも一つのセルを含む集約可能セルリストを構成する方法及び装置を提供することである。
【００１０】
本発明の態様は、多重コンポーネントキャリアシステムにおいて、ソース基地局が、測定された周波数の類似感度として定義される少なくとも一つのセルを含むセンシブル(Ｓｅｎｓｉｂｌｅ)セルリストを構成する方法及び装置を提供することである。
【００１１】
本発明の態様は、多重コンポーネントキャリアシステムにおいて、ソース基地局が、測定値に基づいてターゲット基地局で使われる少なくとも一つの候補セルを含む候補セルリスト、前記端末の性能(Ｃａｐａｂｉｌｉｔｙ)を考慮した集約可能な少なくとも一つのセルを含む集約可能セルリスト、及び測定された周波数の類似感度として定義される少なくとも一つのセルを含むセンシブル(Ｓｅｎｓｉｂｌｅ)セルリストのうち、少なくとも一つのリストを含んでハンドオーバを要求する方法及び装置を提供することである。
【００１２】
本発明の態様は、多重コンポーネントキャリアシステムにおいて、ソース基地局がターゲット基地局から最終選択されたセルに対する情報を含むハンドオーバ受諾を受信してハンドオーバを実行する方法及び装置を提供することである。
【００１３】
本発明の追加的な特徴は、以下の詳細な説明で提示され、その一部は、詳細な説明から自明、又は本発明の実施により学習されることができる。
【課題を解決するための手段】
【００１４】
一実施形態は、多重コンポーネントキャリアシステムにおけるハンドオーバの実行方法を提供する。前記方法は、ソース基地局が少なくとも一つのセルに対する測定値を含む測定報告メッセージを端末から受信し、前記ソース基地局が前記測定値に基づき、ターゲット基地局で使われる少なくとも一つの候補セルを含む候補セルリスト、前記端末の性能(Ｃａｐａｂｉｌｉｔｙ)を考慮した集約可能な少なくとも一つのセルを含む集約可能セルリスト、及び測定された周波数の類似感度として定義される少なくとも一つのセルを含むセンシブル(Ｓｅｎｓｉｂｌｅ)セルリストのうち、少なくとも一つのリストを含むハンドオーバ要求メッセージを前記ターゲット基地局に送信し、前記ソース基地局が、前記少なくとも一つのリストに含まれているセルの確認し、前記ターゲット基地局からの最終セルを含むハンドオーバＡＣＫメッセージを前記ターゲット基地局から受信してハンドオーバを決定し、前記ソース基地局が前記端末にハンドオーバ指示メッセージを送信することを含むことを特徴とする。
【００１５】
一実施形態は、多重コンポーネントキャリアシステムにおけるハンドオーバの実行装置を提供する。前記装置は、少なくとも一つのセルに対する測定値を含む測定報告メッセージを端末から受信する測定報告受信部、前記測定値に基づき、ターゲット基地局で使われる少なくとも一つの候補セルを含む候補セルリスト、前記端末の性能(Ｃａｐａｂｉｌｉｔｙ)を考慮した集約可能な少なくとも一つのセルを含む集約可能セルリスト、測定された周波数の類似感度に基づいて定義される少なくとも一つのセルを含むセンシブル(Ｓｅｎｓｉｂｌｅ)セルリストを構成するセルリスト構成部、及び前記候補セルリスト、前記集約可能セルリスト、及び前記センシブルセルリストのうち少なくとも一つのリストを含むハンドオーバ要求メッセージを前記ターゲット基地局に送信し、前記少なくとも一つのリストに含まれているセルのうち前記ターゲット基地局により決定された最終セルを含むハンドオーバＡＣＫメッセージを前記ターゲット基地局から受信するメッセージ送受信部を含む。
【００１６】
一実施形態は、多重コンポーネントキャリアシステムにおけるソース基地局によるハンドオーバの実行方法を提供する。前記方法は、搬送波集約(ｃａｒｒｉｅｒ ａｇｇｒｅｇａｔｉｏｎ)により設定された少なくとも一つのセルに対する測定結果を含む測定報告を端末から受信し、前記少なくとも一つのセルを前記測定結果の大きさ順に整列した候補セルリスト(ｃａｎｄｉｄａｔｅ ｃｅｌｌ ｌｉｓｔ)を含むサービス状態情報を構成し、前記端末をターゲット基地局にハンドオーバ(ｈａｎｄｏｖｅｒ)するように要求するハンドオーバ要求メッセージに前記サービス状態情報を含んで前記ターゲット基地局に送信し、前記ハンドオーバを受諾することを示すハンドオーバＡＣＫメッセージを前記ターゲット基地局から受信し、前記ハンドオーバを指示するハンドオーバ指示メッセージを前記端末に送信することを含む。
【００１７】
一実施形態は、多重コンポーネントキャリアシステムにおけるターゲット基地局によるハンドオーバの実行方法を提供する。前記方法は、搬送波集約により設定された少なくとも一つのセルをその測定結果の大きさ順に整列した候補セルリストを含むサービス状態情報を、ハンドオーバ要求メッセージを介してソース基地局から受信し、前記ハンドオーバを受諾することを示すハンドオーバＡＣＫメッセージを前記ソース基地局に送信することを含む。
【００１８】
一実施形態は、多重コンポーネントキャリアシステムにおけるハンドオーバを実行するソース基地局を提供する。前記ソース基地局は、搬送波集約により設定された少なくとも一つのセルに対する測定結果を含む測定報告を端末から受信する測定報告受信部、前記少なくとも一つのセルを前記測定結果の大きさ順に整列した候補セルリストを構成するセルリスト構成部、及び前記端末をターゲット基地局にハンドオーバするように要求するハンドオーバ要求メッセージに前記候補セルリストを含んで前記ターゲット基地局に送信し、前記ハンドオーバを受諾することを示すハンドオーバＡＣＫメッセージを前記ターゲット基地局から受信するメッセージ送受信部を含む。
【００１９】
一実施形態は、多重コンポーネントキャリアシステムにおける端末によるハンドオーバの実行方法を提供する。前記方法は、搬送波集約により設定された少なくとも一つのセルに対する測定結果及び前記少なくとも一つのセルを前記測定結果の大きさ順に整列した候補セルリストを含む測定報告をソース基地局に送信し、ターゲット基地局にハンドオーバするように指示するハンドオーバ指示メッセージを前記ソース基地局から受信し、前記候補セルリストに含まれている、前記ターゲット基地局で使われることができるセルを再設定することを含む。
【００２０】
前記一般的な技術と下記詳細な説明は、例示的、説明的、そして請求される本発明の追加的な説明を提供するための目的であると理解されなければならない。他の特徴と態様は、以下で記述される詳細な説明、図面、及び請求項により明確になる。
【発明の効果】
【００２１】
本発明の態様によると、端末がハンドオーバ以後に使用するコンポーネントキャリア又はセルを適正に選択することができ、不必要なコンポーネントキャリア又は端末が使用することができないコンポーネントキャリアを設定又は選択する確率が減るため、システム効率を上げることができる。
【図面の簡単な説明】
【００２２】
【図１】本発明の態様に係る無線通信システムを示すブロック図である。
【図２】本発明の態様に係るバンド内(ｉｎｔｒａ−ｂａｎｄ)隣接(ｃｏｎｔｉｇｕｏｕｓ)搬送波集約を説明する説明図である。
【図３】本発明の態様に係るバンド内非隣接(ｎｏｎ−ｃｏｎｔｉｇｕｏｕｓ)搬送波集約を説明する説明図である。
【図４】本発明の態様に係るバンド間(ｉｎｔｅｒ−ｂａｎｄ)搬送波集約を説明する説明図である。
【図５】本発明の態様に係る多重搬送波をサポートするためのプロトコル構造の一例を示す。
【図６】本発明の態様に係る多重搬送波動作のためのフレーム構造の一例を示す。
【図７】本発明の態様に係る多重搬送波システムにおいて、ダウンリンクコンポーネントキャリアとアップリンクコンポーネントキャリアとの間の接続設定(ｌｉｎｋａｇｅ)を示す。
【図８】本発明の態様に係るサービングセル(Ｓｅｒｖｉｎｇ Ｃｅｌｌ)と隣接セル(Ｎｅｉｇｈｂｏｕｒ Ｃｅｌｌ)の概念を説明する説明図である。
【図９】本発明の態様に係る主サービングセル(Ｐｒｉｍａｒｙ Ｓｅｒｖｉｎｇ Ｃｅｌｌ)と副サービングセル(Ｓｅｃｏｎｄａｒｙ Ｓｅｒｖｉｎｇ Ｃｅｌｌ)の概念を説明する説明図である。
【図１０】本発明の一実施形態に係るハンドオーバの実行方法を示す流れ図である。
【図１１】本発明の一実施形態に係る候補セルリストの構成方法を説明する説明図である。
【図１２】本発明の一実施形態に係る候補セルリストの構成方法を説明する説明図である。
【図１３】本発明の一実施形態に係る候補セルリストの構成方法を説明する説明図である。
【図１４】本発明の一実施形態に係る候補セルリストの構成方法を説明する説明図である。
【図１５】本発明の一実施形態に係る候補セルリストの構成方法を説明する説明図である。
【図１６】本発明の一実施形態に係るハンドオーバ実行方法により端末のＣＣが再設定される過程を示す説明図である。
【図１７】本発明の一実施形態に係る端末のハンドオーバ実行方法を説明するフローチャートである。
【図１８】本発明の一実施形態に係るソース基地局のハンドオーバ実行方法を説明するフローチャートである。
【図１９】本発明の一実施形態に係るターゲット基地局のハンドオーバ実行方法を説明するフローチャートである。
【図２０】本発明の一実施形態に係るソース基地局とターゲット基地局のブロック図である。
【発明を実施するための形態】
【００２３】
以下、本明細書では一部実施例を例示的な図面を介して詳細に説明する。各図面の構成要素に参照符号を付加するにあたって、同じ構成要素に対しては、たとえ、他の図面上に表示されても、可能のかぎり同じ符号を有していることを留意しなければならない。また、本明細書の実施例を説明するにあたって、関連した公知構成又は機能に対する具体的な説明が本明細書の要旨を不明にすると判断される場合にはその詳細な説明は省略する。
【００２４】
また、本明細書の構成要素を説明するにあたって、第１、第２、Ａ、Ｂ、(ａ)、(ｂ)などの用語を使用することができる。このような用語は、その構成要素を他の構成要素と区別するためのものに過ぎず、その用語により該当構成要素の本質や順序などが限定されない。ある構成要素が他の構成要素に“連結”、“結合”又は“接続”されると記載された場合、その構成要素は、その他の構成要素に直接的に連結され、又は接続されることができるが、各構成要素間に別の他の構成要素が“連結”、“結合”又は“接続”されるのも可能であると理解しなければならない。”少なくとも一つの”記載の目的は、続いて列挙された要素のどのような組み合わせにも解釈され、様々な組み合わせが含まれる。例えば、”Ｘ，Ｙ及びＺの少なくとも一つ”とは、Ｘのみ、Ｙのみ、Ｚのみ、Ｘ，Ｙ及びＺの２以上の組み合わせ（例えば、ＸＹＺ，ＸＺ，ＹＺ）を意味すると解釈される。
【００２５】
また、本明細書は、通信ネットワークを対象にして説明し、通信ネットワークで行われる作業は、該当通信ネットワークを管轄するシステム(例えば、基地局)でネットワークを制御し、データを送信する過程で行われたり、該当ネットワークに結合した端末で作業が行われたりすることができる。
【００２６】
図１は、本発明の態様に係る無線通信システムを示すブロック図である。これは、Ｅ−ＵＭＴＳ(Ｅｖｏｌｖｅｄ−Ｕｎｉｖｅｒｓａｌ Ｍｏｂｉｌｅ Ｔｅｌｅｃｏｍｍｕｎｉｃａｔｉｏｎｓ Ｓｙｓｔｅｍ)のネットワーク構造である。Ｅ−ＵＭＴＳシステムは、ＬＴＥ(Ｌｏｎｇ Ｔｅｒｍ Ｅｖｏｌｕｔｉｏｎ)システムということもできる。無線通信システムは、音声、パケットデータなどのような多様な通信サービスを提供するために広く配置される。
【００２７】
無線通信システムに適用される多重接続技術には制限がない。ＣＤＭＡ(Ｃｏｄｅ Ｄｉｖｉｓｉｏｎ Ｍｕｌｔｉｐｌｅ Ａｃｃｅｓｓ)、ＴＤＭＡ(Ｔｉｍｅ Ｄｉｖｉｓｉｏｎ Ｍｕｌｔｉｐｌｅ Ａｃｃｅｓｓ)、ＦＤＭＡ(Ｆｒｅｑｕｅｎｃｙ Ｄｉｖｉｓｉｏｎ Ｍｕｌｔｉｐｌｅ Ａｃｃｅｓｓ)、ＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)、ＳＣ−ＦＤＭＡ(Ｓｉｎｇｌｅ Ｃａｒｒｉｅｒ−ＦＤＭＡ)、ＯＦＤＭ−ＦＤＭＡ、ＯＦＤＭ−ＴＤＭＡ、ＯＦＤＭ−ＣＤＭＡのような多様な多重接続技術を使用することができる。アップリンク送信及びダウンリンク送信は、互いに異なる時間を使用して送信されるＴＤＤ(Ｔｉｍｅ Ｄｉｖｉｓｉｏｎ Ｄｕｐｌｅｘ)方式が使われることができ、又は互いに異なる周波数を使用して送信されるＦＤＤ(Ｆｒｅｑｕｅｎｃｙ Ｄｉｖｉｓｉｏｎ Ｄｕｐｌｅｘ)方式が使われることができる。
【００２８】
図１を参照すると、Ｅ−ＵＴＲＡＮは、制御平面(ｃｏｎｔｒｏｌ ｐｌａｎｅ)とユーザ平面(ｕｓｅｒ ｐｌａｎｅ)を提供する少なくとも一つの基地局(Ｂａｓｅ Ｓｔａｔｉｏｎ；ＢＳ)２０を含む。端末(Ｕｓｅｒ Ｅｑｕｉｐｍｅｎｔ；ＵＥ)１０は、固定されてもよいし、移動性を有してもよく、ＭＳ(Ｍｏｂｉｌｅ ｓｔａｔｉｏｎ)、ＡＭＳ(Ａｄｖａｎｃｅｄ ＭＳ)、ＵＴ(Ｕｓｅｒ Ｔｅｒｍｉｎａｌ)、ＳＳ(Ｓｕｂｓｃｒｉｂｅｒ Ｓｔａｔｉｏｎ)、無線機器(Ｗｉｒｅｌｅｓｓ Ｄｅｖｉｃｅ)等、他の用語で呼ばれることもある。
【００２９】
基地局２０は、一般的に端末１０と通信する固定局(ｆｉｘｅｄ ｓｔａｔｉｏｎ)を意味し、ｅＮｏｄｅＢ(ｅｖｏｌｖｅｄ−ＮｏｄｅＢ)、ＮｏｄｅＢ、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)等、他の用語で呼ばれることもある。基地局２０は、少なくとも一つのセルを介して端末にサービスを提供することができる。セルは、基地局２０が通信サービスを提供する地理的領域又は周波数領域である。基地局２０と端末１０は、Ｕｕインターフェースを介して互いに接続されることができ、Ｕｕインターフェースは、基地局２０と端末１０との間のユーザトラフィック又は制御トラフィックの送信のために使われることができる。Ｕｕインターフェースは、基地局２０と端末１０との間の無線区間に定義される仮想のリンクとして定義されることもできる。
【００３０】
基地局２０間には、ユーザトラフィック又は制御トラフィックの送信のためのインターフェースが使われることもできる。ソース基地局(Ｓｏｕｒｃｅ ＢＳ)２１は、現在端末１０と無線リンク(ｒａｄｉｏ ｌｉｎｋ)が設定された基地局を意味し、ターゲット基地局(Ｔａｒｇｅｔ ＢＳ)２２は、端末１０がソース基地局２１との無線リンクを切って新たに無線リンクを設定するためにハンドオーバしようとする基地局を意味する。言い換えると、Ｕｕインターフェースは、３ＧＰＰプロジェクト内で用いられる用語であり、Ｕｕインターフェースは、無線基地局２０と端末１０との無線インターフェースを導入するためのロジカルインターフェースである。
【００３１】
以下、ダウンリンク(ｄｏｗｎｌｉｎｋ)は、基地局２０から端末１０への通信を意味し、アップリンク(ｕｐｌｉｎｋ)は、端末１０から基地局２０への通信を意味する。ダウンリンクは、順方向リンク(ｆｏｒｗａｒｄ ｌｉｎｋ)とも呼ばれ、アップリンクは、逆方向リンク(ｒｅｖｅｒｓｅ ｌｉｎｋ)とも呼ばれる。ダウンリンクでは、送信機は基地局２０の一部分であり、受信機は端末１０の一部分である。アップリンクでは、送信機は端末１０の一部分であり、受信機は基地局２０の一部分である。
【００３２】
基地局２０は、Ｘ２インターフェースを介して互いに接続されることができ、Ｘ２インターフェースは、基地局２０間のメッセージの送受信に使われる。Ｘ２インターフェースは、基地局２０間に有線及び／又は無線の接続で具現されることができる。基地局２０は、Ｓ１インターフェースを介してＥＰＳ(Ｅｖｏｌｖｅｄ Ｐａｃｋｅｔ Ｓｙｓｔｅｍ)、より詳しくは、ＭＭＥ(Ｍｏｂｉｌｉｔｙ Ｍａｎａｇｅｍｅｎｔ Ｅｎｔｉｔｙ)/Ｓ−ＧＷ(Ｓｅｒｖｉｎｇ Ｇａｔｅｗａｙ)３０と接続される。Ｓ１インターフェースは、基地局２０とＭＭＥ/Ｓ−ＧＷ３０との間に多対多の関係(ｍａｎｙ−ｔｏ−ｍａｎｙ−ｒｅｌａｔｉｏｎ)をサポートする。ＭＭＥ/Ｓ−ＧＷ３０へパケットデータサービスを提供するためにＰＤＮ−ＧＷ４０が使われる。ＰＤＮ−ＧＷ４０は、通信の目的やサービスによって変わり、特定サービスをサポートするＰＤＮ−ＧＷ４０は、ＡＰＮ(Ａｃｃｅｓｓ Ｐｏｉｎｔ Ｎａｍｅ)情報を用いて検索することができる。
【００３３】
Ｅ−ＵＴＲＡＮ内(Ｉｎｔｒａ Ｅ−ＵＴＲＡＮ)ハンドオーバ(ｈａｎｄｏｖｅｒ)は、Ｅ−ＵＴＲＡＮ接続ネットワーク間のハンドオーバ時に使われる基本的なハンドオーバメカニズムであり、Ｘ２ベースのハンドオーバとＳ１ベースのハンドオーバで構成されている。Ｘ２ベースのハンドオーバは、端末１０がＸ２インターフェースを用いてソース基地局(ｓｏｕｒｃｅ ＢＳ)２１からターゲット基地局(ｔａｒｇｅｔ ＢＳ)２２にハンドオーバしようとする時に使われ、このとき、ＭＭＥ/Ｓ−ＧＷ３０は変更されない。
【００３４】
Ｓ１ベースのハンドオーバにより、ＰＤＮ−ＧＷ４０、ＭＭＥ/Ｓ−ＧＷ３０、ソース基地局２１、及び端末１０間に設定された第１の無線リンクが解除(ｒｅｌｅａｓｅ)され、ＰＤＮ−ＧＷ４０、ＭＭＥ/Ｓ−ＧＷ３０、ターゲット基地局２２、及び端末１０間に新たな第２の無線リンクが設定される。
【００３５】
搬送波集約(ｃａｒｒｉｅｒ ａｇｇｒｅｇａｔｉｏｎ；ＣＡ)は、複数の搬送波をサポートすることであり、スペクトラム集約又は帯域幅集約(ｂａｎｄｗｉｄｔｈ ａｇｇｒｅｇａｔｉｏｎ)とも呼ばれる。搬送波集約により束ねられる個別的な単位搬送波をコンポーネントキャリア(ｃｏｍｐｏｎｅｎｔ ｃａｒｒｉｅｒ；以下、ＣＣという)という。各ＣＣは、帯域幅と中心周波数により定義される。搬送波集約は、増加されるスループット(ｔｈｒｏｕｇｈｐｕｔ)をサポートし、広帯域ＲＦ(ｒａｄｉｏ ｆｒｅｑｕｅｎｃｙ)素子の導入による費用増加を防止し、既存システムとの互換性を保障するために導入されることである。
【００３６】
例えば、５ＭＨｚ帯域幅を有する搬送波単位のグラニュラリティ(ｇｒａｎｕｌａｒｉｔｙ)として５個のＣＣが割り当てられる場合、最大２０ＭＨｚの帯域幅をサポートすることができる。
【００３７】
搬送波集約は、図２のようなバンド内(ｉｎｔｒａ−ｂａｎｄ)隣接(ｃｏｎｔｉｇｕｏｕｓ)搬送波集約、図３のようなバンド内非隣接(ｎｏｎ−ｃｏｎｔｉｇｕｏｕｓ)搬送波集約、そして、図４のようなバンド間(ｉｎｔｅｒ−ｂａｎｄ)搬送波集約に分けられることができる。
【００３８】
まず、図２を参照すると、バンド内隣接搬送波集約は、同じバンド内で連続的なＣＣ間で行われる。例えば、集約されるＣＣであるＣＣ＃１,ＣＣ＃２,ＣＣ＃３,...,ＣＣ＃Ｎは互いに隣接している。
【００３９】
図３を参照すると、バンド内非隣接搬送波集約は、不連続的なＣＣ間に行われる。例えば、集約されるＣＣであるＣＣ＃１、ＣＣ＃２は、互いに特定周波数ほど離隔されて存在する。
【００４０】
図４を参照すると、バンド間搬送波集約は、複数のＣＣが存在する時、そのうち一つ以上のＣＣが、異なる周波数帯域上で集約される形態である。例えば、集約されるＣＣである、ＣＣ＃１はバンド(ｂａｎｄ)＃１に存在し、ＣＣ＃２はバンド＃２に存在する。
【００４１】
ダウンリンクとアップリンクとの間に集約される搬送波の数は違って設定されることができる。ダウンリンクＣＣ数とアップリンクＣＣ数が同じ場合を対称的(ｓｙｍｍｅｔｒｉｃ)集約といい、その数が異なる場合を非対称的(ａｓｙｍｍｅｔｒｉｃ)集約という。
【００４２】
また、ＣＣの大きさ(即ち、帯域幅)は、異なってもよい。例えば、７０ＭＨｚ帯域の構成のために５個のＣＣが使われると仮定すると、５ＭＨｚ ＣＣ(ｃａｒｒｉｅｒ ＃０)＋２０ＭＨｚ ＣＣ(ｃａｒｒｉｅｒ ＃１)＋２０ＭＨｚ ＣＣ(ｃａｒｒｉｅｒ ＃２)＋２０ＭＨｚ ＣＣ(ｃａｒｒｉｅｒ ＃３)＋５ＭＨｚ ＣＣ(ｃａｒｒｉｅｒ ＃４)のように構成されることもできる。
【００４３】
以下、多重コンポーネントキャリア(ｍｕｌｔｉｐｌｅ ｃｏｍｐｏｎｅｎｔ ｃａｒｒｉｅｒ)システムとは、搬送波集約をサポートするシステムを意味する。多重コンポーネントキャリアシステムにおいて、隣接搬送波集約及び/又は非隣接搬送波集約が使われることができ、また、対称的集約と非対称的集約のいずれも使われることができる。
【００４４】
図５は、本発明の態様に係る多重コンポーネントキャリアをサポートするためのプロトコル構造の一例を示す。
【００４５】
図５を参照すると、共用ＭＡＣ(Ｍｅｄｉｕｍ Ａｃｃｅｓｓ Ｃｏｎｔｒｏｌ)構成５１０は、複数のＣＣを用いる物理(ｐｈｙｓｉｃａｌ（ＰＨＹ）)階層５２０を管理する。特定ＣＣに送信されるＭＡＣ管理メッセージは、他のＣＣに適用されることができる。即ち、前記ＭＡＣ管理メッセージは、前記特定ＣＣを含んで他のＣＣを制御することができるメッセージである。物理階層５２０は、ＴＤＤ(Ｔｉｍｅ Ｄｉｖｉｓｉｏｎ Ｄｕｐｌｅｘ)スキーム及び/又はＦＤＤ(Ｆｒｅｑｕｅｎｃｙ Ｄｉｖｉｓｉｏｎ Ｄｕｐｌｅｘ)スキームで動作することができる。
【００４６】
物理階層５２０で使われる複数の物理制御チャネルがある。物理制御情報を送信する物理ダウンリンク制御チャネル(ｐｈｙｓｉｃａｌ ｄｏｗｎｌｉｎｋ ｃｏｎｔｒｏｌ ｃｈａｎｎｅｌ；ＰＤＣＣＨ)は、端末にＰＣＨ(ｐａｇｉｎｇ ｃｈａｎｎｅｌ)とＤＬ−ＳＣＨ(ｄｏｗｎｌｉｎｋ ｓｈａｒｅｄ ｃｈａｎｎｅｌ)のリソース割当及びＤＬ−ＳＣＨと関連付けられているＨＡＲＱ(ｈｙｂｒｉｄ ａｕｔｏｍａｔｉｃ ｒｅｐｅａｔ ｒｅｑｕｅｓｔ)情報を知らせる。ＰＤＣＣＨは、端末にアップリンク送信のリソース割当を知らせるアップリンクグラント(ｕｐｌｉｎｋ ｇｒａｎｔ)を伝送することができる。
【００４７】
ＰＣＦＩＣＨ(ｐｈｙｓｉｃａｌ ｃｏｎｔｒｏｌ ｆｏｒｍａｔ ｉｎｄｉｃａｔｏｒ ｃｈａｎｎｅｌ)は、端末にＰＤＣＣＨに使われるＯＦＤＭシンボルの数を知らせ、サブフレーム毎に送信される。ＰＨＩＣＨ(ｐｈｙｓｉｃａｌ Ｈｙｂｒｉｄ ＡＲＱ Ｉｎｄｉｃａｔｏｒ Ｃｈａｎｎｅｌ)は、アップリンク送信の応答としてＨＡＲＱ ＡＣＫ/ＮＡＣＫ信号を伝送する。ＰＵＣＣＨ(Ｐｈｙｓｉｃａｌ ｕｐｌｉｎｋ ｃｏｎｔｒｏｌ ｃｈａｎｎｅｌ)は、ダウンリンク送信に対するＨＡＲＱ ＡＣＫ/ＮＡＣＫ、スケジューリング要求及びＣＱＩのようなアップリンク制御情報を伝送する。ＰＵＳＣＨ(Ｐｈｙｓｉｃａｌ ｕｐｌｉｎｋ ｓｈａｒｅｄ ｃｈａｎｎｅｌ)は、ＵＬ−ＳＣＨ(ｕｐｌｉｎｋ ｓｈａｒｅｄ ｃｈａｎｎｅｌ)を伝送する。
【００４８】
図６は、本発明の態様に係る多重コンポーネントキャリア動作のためのフレーム構造の一例を示す。
【００４９】
図６を参照すると、無線フレーム(ｒａｄｉｏ ｆｒａｍｅ)は、１０個のサブフレームで構成される。サブフレームは、複数のＯＦＤＭシンボルを含む。各ＣＣは、制御チャネル(例えば、ＰＤＣＣＨ)を伝送(ｃａｒｒｙ)することができる。ＣＣは、互いに隣接してもよく、隣接しなくてもよい。端末は、自分の性能によって一つ又はそれ以上のＣＣをサポートすることができる。
【００５０】
図７は、本発明の態様に係る多重コンポーネントキャリアシステムにおいて、ダウンリンクコンポーネントキャリアとアップリンクコンポーネントキャリアとの間の接続設定(ｌｉｎｋａｇｅ)を示す。
【００５１】
図７を参照すると、ダウンリンクで、ダウンリンクコンポーネントキャリア(以下、ＤＬ ＣＣという)Ｄ１、Ｄ２、Ｄ３が集約されて(ａｇｇｒｅｇａｔｅｄ)おり、アップリンクで、アップリンクコンポーネントキャリア(以下、ＵＬ ＣＣという)Ｕ１、Ｕ２、Ｕ３が集約されている。ここで、ＤｉはＤＬ ＣＣのインデックスであり、ＵｉはＵＬ ＣＣのインデックスである(ｉ＝１,２,３)。
【００５２】
ＦＤＤシステムにおいて、ＤＬ ＣＣとＵＬ ＣＣは１：１に接続設定され、Ｄ１はＵ１と、Ｄ２はＵ２と、Ｄ３はＵ３と各々１：１に接続設定される。端末は、論理チャネルＢＣＣＨ上で(ｏｎ)送信されるシステム情報又はＤＣＣＨ上で送信される端末専用ＲＲＣメッセージを介して、前記ＤＬ ＣＣとＵＬ ＣＣとの間の接続設定をする。各接続設定は、セルを特定して(ｃｅｌｌ ｓｐｅｃｉｆｉｃ)設定することもでき、端末を特定して(ＵＥ ｓｐｅｃｉｆｉｃ)設定することもできる。
【００５３】
ＤＬ ＣＣに接続設定されるＵＬ ＣＣの例は、以下の通りである。
【００５４】
１)基地局がＤＬ ＣＣを介して送信したデータに対して、端末がＡＣＫ/ＮＡＣＫ情報を送信するＵＬ ＣＣである。
【００５５】
２)端末がＵＬ ＣＣを介して送信されたデータに対して、基地局がＡＣＫ/ＮＡＣＫ情報を送信するＤＬ ＣＣである。
【００５６】
３)ランダムアクセス手順を始める端末がＵＬ ＣＣを介して送信したランダムアクセスプリアンブル(Ｒａｎｄｏｍ Ａｃｃｅｓｓ Ｐｒｅａｍｂｌｅ；ＲＡＰ)を、基地局が受信した場合、これに対する応答を送信するＤＬ ＣＣである。
【００５７】
４)基地局がＤＬ ＣＣを介してアップリンク制御情報を送信する場合、前記アップリンク制御情報が適用されるＵＬ ＣＣなどである。
【００５８】
図７は、ＤＬ ＣＣとＵＬ ＣＣとの間の１：１接続設定のみを例示したが、１：ｎ又はｎ：１の接続設定も成立可能である。また、ＣＣのインデックスは、このＣＣの順序又はこのＣＣの周波数帯域の位置に一致するものではない。
【００５９】
図８は、サービングセル(Ｓｅｒｖｉｎｇ Ｃｅｌｌ)と隣接セル(Ｎｅｉｇｈｂｏｕｒ Ｃｅｌｌ)の概念を説明する説明図である。
【００６０】
図８を参照すると、システム周波数帯域は、複数の搬送波周波数(Ｃａｒｒｉｅｒ−ｆｒｅｑｕｅｎｃｙ)に区分される。ここで、搬送波周波数は、セルの中心周波数(Ｃｅｎｔｅｒ ｆｒｅｑｕｅｎｃｙ ｏｆ ａ ｃｅｌｌ)を意味する。セル(ｃｅｌｌ)は、ダウンリンク周波数リソースとアップリンク周波数リソースを意味したり、又はダウンリンク周波数リソースと選択的な(ｏｐｔｉｏｎａｌ)アップリンク周波数リソースの組合せ(ｃｏｍｂｉｎａｔｉｏｎ)を意味したりする。また、一般的にＣＡを考慮しない場合、一つのセル(ｃｅｌｌ)は、アップリンク及びダウンリンク周波数リソースが常に対(ｐａｉｒ)で存在する。
【００６１】
ここで、サービングセル８０５は、現在端末がサービスの提供を受けているセルを意味する。隣接セルは、サービングセル８０５と地理的に又は周波数帯域上で隣接したセルを意味する。サービングセル８０５を基準に同じ搬送波周波数を使用する隣接セルを周波数内隣接セル(Ｉｎｔｒａ−ｆｒｅｑｕｅｎｃｙ Ｎｅｉｇｈｂｏｕｒ Ｃｅｌｌ)８００、８１０という。また、サービングセル８０５を基準に相違する搬送波周波数を使用する隣接セルを周波数間隣接セル(Ｉｎｔｅｒ−ｆｒｅｑｕｅｎｃｙ Ｎｅｉｇｈｂｏｕｒ Ｃｅｌｌ)８１５、８２０、８２５という。即ち、サービングセルと同じ周波数を使用するセルだけでなく、異なる周波数を使用するセルであり、且つサービングセルと隣接したセルは、隣接セルということができる。
【００６２】
端末がサービングセルで周波数内隣接セル８００、８１０にハンドオーバすることを周波数内ハンドオーバ(Ｉｎｔｒａ−ｆｒｅｑｕｅｎｃｙ Ｈａｎｄｏｖｅｒ)という。一方、端末がサービングセルで周波数間隣接セル８１５、８２０、８２５にハンドオーバすることを周波数間ハンドオーバ(Ｉｎｔｅｒ−ｆｒｅｑｕｅｎｃｙ Ｈａｎｄｏｖｅｒ)という。
【００６３】
特定セルを介してパケットデータの送受信が行われるためには、まず、端末は、特定セル又はＣＣの設定(ｃｏｎｆｉｇｕｒａｔｉｏｎ)を完了しなければならない。ここで、設定(ｃｏｎｆｉｇｕｒａｔｉｏｎ)とは、特定セル又はＣＣに対するデータ送受信に必要なシステム情報受信を完了した状態を意味する。一例として、設定は、データ送受信に必要な共通物理階層パラメータ、又はＭＡＣ階層パラメータ、又はＲＲＣ階層で特定動作に必要なパラメータを受信する全般の過程を含むことができる。したがって、設定されたセル又はＣＣは、パケットデータが送信されることができるというシグナリング情報のみ受信すると、直ちにパケットの送受信が可能な状態となる。
【００６４】
一方、設定された状態のセルは、活性化(Ａｃｔｉｖａｔｉｏｎ)又は非活性化(Ｄｅａｃｔｉｖａｔｉｏｎ)状態に存在することができる。設定されたセルの状態を活性化及び非活性化状態に区分するのは、活性化状態である時にのみ端末が制御チャネル(ＰＤＣＣＨ)及びデータチャネル(ＰＤＳＣＨ)をモニターリング又は受信するようにすることによって端末のバッテリー(Ｂａｔｔｅｒｙ)消費を最小化するためである。ここで、設定された直後のセルの初期状態は非活性化である。
【００６５】
活性化は、セルがトラフィックデータの送信又は受信が行われていること、又は準備状態(ｒｅａｄｙ ｓｔａｔｅ)にあることを意味する。端末は、自分に割り当てられたリソース(周波数、時間など)を確認するために活性化されたセルの制御チャネル(ＰＤＣＣＨ)及びデータチャネル(ＰＤＳＣＨ)をモニターリング又は受信することができる。
【００６６】
非活性化は、セルがトラフィックデータの送信又は受信が不可能であり、測定や最小情報の送信/受信が可能であることを意味する。端末は、非活性化されたセルからパケット受信のために必要なシステム情報(ＳＩ)を受信することができる。一方、端末は、自分に割り当てられたリソースを確認するために非活性化されたセルの制御チャネル(ＰＤＣＣＨ)及びデータチャネル(ＰＤＳＣＨ)をモニターリング又は受信しない。
【００６７】
図９は、本発明の態様に係る主サービングセル(Ｐｒｉｍａｒｙ Ｓｅｒｖｉｎｇ Ｃｅｌｌ)と副サービングセル(Ｓｅｃｏｎｄａｒｙ Ｓｅｒｖｉｎｇ Ｃｅｌｌ)の概念を説明する説明図である。
【００６８】
図９を参照すると、主サービングセル９０５は、ＲＲＣ確立(ｅｓｔａｂｌｉｓｈｍｅｎｔ)又は再確立(ｒｅ−ｅｓｔａｂｌｉｓｈｍｅｎｔ)状態で、セキュリティ入力(ｓｅｃｕｒｉｔｙ ｉｎｐｕｔ)とＮＡＳ移動情報(ｍｏｂｉｌｉｔｙ ｉｎｆｏｒｍａｔｉｏｎ)を提供する一つのサービングセルを意味する。端末の性能(ｃａｐａｂｉｌｉｔｉｅｓ)によって、少なくとも一つのセルが主サービングセル９０５と共にサービングセルの集合を形成するように構成されることができ、前記少なくとも一つのセルを副サービングセル９２０という。
【００６９】
したがって、一つの端末に対して設定されたサービングセルの集合は、一つの主サービングセル９０５のみで構成されたり、又は一つの主サービングセル９０５と少なくとも一つの副サービングセル９２０で構成されたりすることができる。
【００７０】
主サービングセル９０５の周波数内隣接セル９００、９１０及び/又は副サービングセル９２０の周波数内隣接セル９１５、９２５は、各々、同じ搬送波周波数に属する。そして、主サービングセル９０５と副サービングセル９２０の周波数間隣接セル９３０、９３５、９４０は、相違する搬送波周波数に属する。
【００７１】
主サービングセル９０５に対応するＤＬ ＣＣをダウンリンク主コンポーネント搬送波(ＤＬ ＰＣＣ)といい、主サービングセル９０５に対応するＵＬ ＣＣをアップリンク主コンポーネント搬送波(ＵＬ ＰＣＣ)という。また、ダウンリンクでは、副サービングセル９２０に対応するＣＣをダウンリンク副コンポーネントキャリア(ＤＬ ＳＣＣ)といい、アップリンクでは、副サービングセル９２０に対応するＣＣをアップリンク副コンポーネントキャリア(ＵＬ ＳＣＣ)という。
【００７２】
ＰＣＣは、端末が複数のＣＣのうち、初期に端末と接続(Ｃｏｎｎｅｃｔｉｏｎ又はＲＲＣ Ｃｏｎｎｅｃｔｉｏｎ)をなすようになるＣＣである。ＰＣＣは、複数のＣＣに対するシグナリングのための接続(Ｃｏｎｎｅｃｔｉｏｎ又はＲＲＣ Ｃｏｎｎｅｃｔｉｏｎ)を担当し、端末と関連付けられている接続情報である端末文脈情報(ＵＥ Ｃｏｎｔｅｘｔ)を管理する特別なＣＣである。また、ＰＣＣは、端末と接続をなすようになって、ＲＲＣ接続状態(ＲＲＣ Ｃｏｎｎｅｃｔｅｄ Ｍｏｄｅ)の場合には常に活性化状態に存在する。
【００７３】
ＳＣＣは、ＰＣＣ以外に端末に割り当てられたＣＣであり、ＳＣＣは、端末がＰＣＣ以外に追加的なリソース割当等のために拡張された搬送波(Ｅｘｔｅｎｄｅｄ Ｃａｒｒｉｅｒ)であり、活性化又は非活性化状態に分けられることができる。ＳＣＣの初期状態は、非活性化である。
【００７４】
主サービングセル９０５と副サービングセル９２０は、以下のような特徴を有する。
【００７５】
第一に、主サービングセル９０５は、ＰＵＣＣＨの送信のために使われる。
【００７６】
第二に、主サービングセル９０５は、常に活性化されている一方、副サービングセル９２０は、特定条件によって活性化/非活性化される搬送波である。
【００７７】
第三に、主サービングセル９０５が無線リンク失敗(Ｒａｄｉｏ Ｌｉｎｋ Ｆａｉｌｕｒｅ；以下、ＲＬＦという)を経験する場合、ＲＲＣ再確立がトリガリング(ｔｒｉｇｇｅｒｉｎｇ)されるが、副サービングセル９２０がＲＬＦを経験する場合、ＲＲＣ再確立がトリガリングされない。
【００７８】
第四に、主サービングセル９０５は、セキュリティキー(ｓｅｃｕｒｉｔｙ ｋｅｙ)変更やＲＡＣＨ(Ｒａｎｄｏｍ Ａｃｃｅｓｓ ＣＨａｎｎｅｌ)手順と伴うハンドオーバ手順によって変更されることができる。
【００７９】
したがって、副サービングセル９２０の再設定(ｒｅｃｏｎｆｉｇｕｒａｔｉｏｎ)、追加(ａｄｄｉｎｇ)、及び除去(ｒｅｍｏｖａｌ)のような手順は、ＲＲＣ階層により実行されることができる。新規副サービングセル９２０の追加において、専用(ｄｅｄｉｃａｔｅｄ)副サービングセルのシステム情報の送信時、ＲＲＣシグナリングが使われることができる。
【００８０】
搬送波集約を考慮したハンドオーバでは主サービングセル９０５と副サービングセル９２０が同時に考慮されなければならない。例えば、主サービングセル９０２が同じ基地局で副サービングセル９２０に変更されると、基地局(ｉｎｔｒａ ＢＳ又はｉｎｔｒａｅ ＮＢ)内のハンドオーバであり、主サービングセル９０５が異なる基地局で特定セル９２０に変更されると、基地局(ｉｎｔｅｒ ＢＳ又はｉｎｔｅｒｅ ＮＢ)間ハンドオーバである。
【００８１】
図１０は、本発明の一実施形態に係るハンドオーバの実行方法を示す流れ図である。
【００８２】
図１０を参照すると、基地局は、端末に測定報告設定情報(Ｍｅａｓｕｒｅｍｅｎｔ Ｒｅｐｏｒｔ Ｃｏｎｆｉｇｕｒａｔｉｏｎ Ｉｎｆｏ)を送信する(Ｓ１０００)。前記測定報告設定情報は、ＲＲＣ接続再構成メッセージ(ＲＲＣ Ｃｏｎｎｅｃｔｉｏｎ Ｒｅｃｏｎｆｉｇｕｒａｔｉｏｎ Ｍｅｓｓａｇｅ)のような端末に専用の(ｄｅｄｉｃａｔｅｄ)シグナリングにより提供されることができる。前記測定報告設定情報は、測定報告の基準(ｃｒｉｔｅｒｉｏｎ)と形式(ｆｏｒｍａｔ)のような実行条件(ｏｐｅｒａｔｉｎｇ ｃｏｎｄｉｔｉｏｎｓ)を端末に設定する制御情報である。例えば、実行条件は、測定報告を実行する周期(ｐｅｒｉｏｄ)又は特定イベント(ｅｖｅｎｔ)によるトリガリング(ｔｒｉｇｇｅｒｉｎｇ)条件を含むことができる。
【００８３】
ここで、測定報告に使われる測定単位(ｕｎｉｔ ｏｆ ｍｅａｓｕｒｅ)は、端末が測定報告のトリガリング条件を判断するときに使われる量的情報(ｑｕａｎｔｉｔｉｅｓ)、例えば、基準信号受信パワー(Ｒｅｆｅｒｅｎｃｅ Ｓｉｇｎａｌ Ｒｅｃｅｉｖｅｄ Ｐｏｗｅｒ；ＲＳＲＰ)又は基準信号受信品質(Ｒｅｆｅｒｅｎｃｅ Ｓｉｇｎａｌ Ｒｅｃｅｉｖｅｄ Ｑｕａｌｉｔｙ；ＲＳＲＱ)を含む。ＲＳＲＰとＲＳＲＱの定義は、次の通りである。ＲＳＲＰは、受信された全ての信号対比所望の信号の受信強度を比較して信号品質を測定する値であり、ＲＳＲＱは、受信された全ての信号対比所望の信号の受信強度を比較して信号品質を測定する値であると定義されることができる。ＲＳＲＰは、リソース要素の電力寄与(ｐｏｗｅｒ ｃｏｎｔｒｉｂｕｔｉｏｎ)に対する線形平均(ｌｉｎｅａｒ ａｖｅｒａｇｅ)として求める。ここで、リソース要素は、考慮される測定周波数帯域幅内のセル特定基準信号を運搬する。ＲＳＲＰの基準点(ｒｅｆｅｒｅｎｃｅ ｐｏｉｎｔ)は、端末のアンテナコネクター(ａｎｔｅｎｎａ ｃｏｎｎｅｃｔｏｒ)である。一方、ＲＳＲＱは、数式１のようにＲＳＲＰと受信信号強度インジケータ(Ｒｅｃｅｉｖｅｄ Ｓｉｇｎａｌ Ｓｔｒｅｎｇｔｈ Ｉｎｄｉｃａｔｏｒ：ＲＳＳＩ)との間の割合として定義される。
【００８４】
【数１】
2013534792.tif 000003
【００８５】
数式１において、Ｎは、無線接続ネットワークの搬送波ＲＳＳＩ測定帯域幅のリソース要素の個数である。数式１で、分子と分母に対する測定は、同じリソースブロックの集合に対して実行される。ＲＳＳＩは、全体受信電力の線形平均値を含む。全体受信電力は、測定帯域幅内の基準シンボルを含むＯＦＤＭシンボル内にで観測され、Ｎ個のリソースブロックにわたって得られる値である。前記基準シンボルは、ＣＲＳ(ｃｅｌｌ−ｓｐｅｃｉｆｉｃ ｒｅｆｅｒｅｎｃｅ ｓｉｇｎａｌ)が存在するＯＦＤＭシンボルであり、又はサブフレーム内の全てのＯＦＤＭシンボルである。
【００８６】
端末は、前記測定報告設定情報に基づいて測定を実行する(Ｓ１００５)。端末が主サービングセルで送信される信号を測定した結果により測定報告(ｍｅａｓｕｒｅｍｅｎｔ ｒｅｐｏｒｔ)がトリガリング(ｔｒｉｇｇｅｒｉｎｇ)されると、端末は、測定結果(ｍｅａｓｕｒｅｍｅｎｔ ｒｅｓｕｌｔ)をソース基地局に報告する(Ｓ１０１０)。測定結果は、前記測定報告設定情報により決定されたセルのＲＳＲＰ、ＲＳＲＱ、電力レベル(ｐｏｗｅｒ ｌｅｖｅｌ)等のような測定可能な事項の測定値を意味する。トリガリングは、システムで設定した条件によって実行されることができる。例えば、測定報告のトリガリング条件は、一定の閾値(ｔｈｒｅｓｈｏｌｄ)以下のチャネル状態、又は一定の閾値以上のチャネル状態である。
【００８７】
ソース基地局は、前記報告された測定結果に基づいて、サービス状態情報(Ｓｅｒｖｉｃｅ Ｓｔａｔｅ Ｉｎｆｏｒｍａｔｉｏｎ)を構成する(Ｓ１０１５)。前記サービス状態情報は、ソース基地局がターゲット基地局に伝達する端末に特定される(ＵＥ ｓｐｅｃｉｆｉｃ)情報である。前記サービス状態情報は、端末がソース基地局でトラフィック送信のために提供を受けていた状態に対する情報であり、ハンドオーバ時にソース基地局がターゲット基地局に送信し、ハンドオーバ後にターゲット基地局との接続を最適化させるために使われる情報である。
【００８８】
前記サービス状態情報は、以下の表のような要素(ｅｌｅｍｅｎｔ)を含むことができる。しかしながら、この態様に限られない。
【００８９】
【表１】
2013534792.tif 000004
【００９０】
表１を参照すると、サービス状態情報は、候補セルリスト(Ｃａｎｄｉｄａｔｅ Ｃｅｌｌ Ｌｉｓｔ)、ソース基地局に対するＣＣ使用個数(Ｔｈｅ Ｎｕｍｂｅｒ ｏｆ ＣＣｓ ｆｏｒ ＳｅＮＢ)、端末の性能(ｃａｐａｂｉｌｉｔｙ)、及び前記候補セルリストに含まれるＣＣの情報及び測定報告したセルに対するＲＳＲＰ又はＲＳＲＱのうち少なくとも一つを含むことができる。
【００９１】
ここで、候補セルリストは、ターゲット基地局で前記端末に対する(ＵＥ ｓｐｅｃｉｆｉｃａｌｌｙ)主サービングセル又は副サービングセルになることができる少なくとも一つの候補セルを羅列したリストである。即ち、ソース基地局は、ハンドオーバする端末の現在サービス受信状態を考慮する場合に、端末に適合し、又は設定可能な(ｃｏｎｆｉｇｕｒａｂｌｅ)少なくとも一つの候補セルを含むリストを構成してターゲット基地局に知らせる。
【００９２】
したがって、ターゲット基地局は、受信された候補セルリストを参照し、前記候補セルリストに含まれている少なくとも一つ以上の候補セルのうち、少なくとも一つのセルを主サービングセル又は副サービングセルとして選択することができる。ただし、候補セルリストは、ターゲット基地局が参照するだけであり、候補セルリストに含まれているセルをサービングセルとして選択するかどうかは、ターゲット基地局の選択による。候補セルは、主サービングセル、又は副サービングセルである。
【００９３】
前記候補セルリストは、ソース基地局からターゲット基地局に送信することによって端末に適する主サービングセル又は副サービングセルを選択するようにすることができる最小限の情報である。ターゲット基地局は、前記候補セルリストを用いてサービングセル又は副サービングセルを選択するときに用いることができる。
【００９４】
ここで、ソース基地局に対するＣＣ使用個数(Ｔｈｅ Ｎｕｍｂｅｒ ｏｆ ＣＣｓ ｆｏｒ ＳｅＮＢ)は、ソース基地局が端末に提供している全体ＣＣ個数を知らせる。前記ＣＣ使用個数は、端末が複数のＣＣを介してサービスの提供を受けているかに対する情報である。前記ＣＣ使用個数情報を介してターゲット基地局が大略的にサポートしなければならないＣＣに対する程度を予想することができる。例えば、ソース基地局とターゲット基地局が類似の程度の周波数帯域などを介してサービスしている状況の場合、端末は、ソース基地局で提供を受ける程度のＣＣを介して引き続きサービスの提供を受けるようになる可能性が高いと予想することができ、これを介してターゲット基地局でのＣＣ設定を助ける情報として使われることができる。
【００９５】
又は、ソース基地局に対するＣＣ使用個数(Ｔｈｅ Ｎｕｍｂｅｒ ｏｆ ＣＣｓ ｆｏｒ ＳｅＮＢ)は、ソース基地局自体が端末のために提供しているＣＣの個数である。前記の場合、全体基地局が端末のために提供している負荷(Ｌｏａｄ)に対する情報として使われることができる。ここで、端末の性能情報(ｃａｐａｂｉｌｉｔｙ ｉｎｆｏｒｍａｔｉｏｎ)は、端末が使用することができる最大ＣＣに対する情報である。全ての端末が最大５個までのＣＣを使用することができるものではない。特定の場合において、２、３、４又は５個のＣＣを使用することができるように端末毎にその性能(ｃａｐａｂｉｌｉｔｙ)が決められることができ、これを介して端末のために基地局が提供しなければならないＣＣの個数などを予想することができる情報である。
【００９６】
前記サービス状態情報は、端末がソース基地局からサービスを受けている状態を示す情報であるため、前記表１に列挙された情報以外にも端末とソース基地局との間のデータ送信のための多様な情報をさらに含むことができる。
【００９７】
ソース基地局は、前記サービス状態情報を含むハンドオーバ要求(ｈａｎｄｏｖｅｒ ｒｅｑｕｅｓｔ)メッセージをターゲット基地局に送る(Ｓ１０２０)。特に、ハンドオーバ要求メッセージを受信したターゲット基地局は、自分の現在システム負荷状態及び無線状況を考慮してハンドオーバを決定することができる(Ｓ１０２５)。ハンドオーバを決定したターゲット基地局は、ハンドオーバ受諾制御(Ａｄｍｉｓｓｉｏｎ Ｃｏｎｔｒｏｌ)を実行する。前記ハンドオーバ受諾制御は、前記受信された候補セルリストを参照してターゲット基地局によりサービングセルが選択される手順を含むことができる。
【００９８】
ターゲット基地局は、ハンドオーバＡＣＫメッセージ(ｈａｎｄｏｖｅｒ ｒｅｑｕｅｓｔ ＡＣＫ)をソース基地局に送信する(Ｓ１０３０)。ここで、ハンドオーバＡＣＫ諾メッセージは、ターゲット基地局により選択された前記サービングセルのリストを含むことができる。
【００９９】
もし、ターゲット基地局側で利用可能なリソースがなくてハンドオーバリソース割当(ｒｅｓｏｕｒｃｅ ａｌｌｏｃａｔｉｏｎ)が成功しない場合、ターゲット基地局は、ハンドオーバＡＣＫメッセージの代わりにハンドオーバ準備失敗(Ｈａｎｄｏｖｅｒ Ｐｒｅｐａｒａｔｉｏｎ Ｆａｉｌｕｒｅ)メッセージをソース基地局に送信することができる。
【０１００】
ハンドオーバＡＣＫメッセージを受信すると、ソース基地局は、端末にハンドオーバ指示メッセージ(Ｈａｎｄｏｖｅｒ Ｃｏｍｍａｎｄ Ｍｅｓｓａｇｅ)を送ることによってハンドオーバの開始を知らせる(Ｓ１０３５)。
【０１０１】
簡略に定義すると、端末がハンドオーバを実行するにあたって、ソース基地局が前記端末に適するセルのリストを含むサービス状態情報をターゲット基地局に知らせると、ターゲット基地局は、これに基づいてセル又はＣＣを選択することによって前記端末に対するサービス品質が維持又は改善されることができる。
【０１０２】
この時、前記候補セルリストは、端末のサービス状態が考慮されるように構成されるのが好ましい。そのためには、端末のサービス状態に影響を及ぼす要素を考慮して候補セルリストを構成しなければならない。端末のサービス状態に影響を及ぼす要素にはソース基地局又は端末に割り当てられるバンドの個数、搬送波集約のサポート可否、周波数特性などがある。このような要素を考慮する場合、多様な候補セルリストの形態が導出されることができ、以下、候補セルリストの構成方法に対して詳細に説明する。多重コンポーネントキャリアシステムの側面で、候補セルは、候補ＣＣに対応されることができるため、候補セルリストは、候補ＣＣリストということもできる。ただし、説明の便宜のために、候補セルと統一して使用するようにし、これによる名称も候補セルリストという。
【０１０３】
以下、図１１は、本発明の一実施形態に係る候補セルリストの構成方法を説明する説明図である。
【０１０４】
図１１を参照すると、ソース基地局により決められた端末の割当周波数リソースに対して、端末は、セルＡ１１００、セルＢ１１０５、セルＣ１１１０の測定(ｍｅａｓｕｒｅｍｅｎｔ)を実行する。セルＡ１１００、セルＢ１１０５、セルＣ１１１０搬送波周波数(Ｃａｒｒｉｅｒ Ｆｒｅｑｕｅｎｃｙ)は、各々、ｆ１ＭＨｚ、ｆ２ＭＨｚ、ｆ３ＭＨｚである。搬送波周波数は、セルの中心周波数(Ｃｅｎｔｅｒ Ｆｒｅｑｕｅｎｃｙ)と呼ばれることもできる。又はＣＣの中心周波数である。
【０１０５】
端末が測定を実行すると、各セルに対するＲＳＲＰ、ＲＳＲＱ、電力レベル(ｐｏｗｅｒ ｌｅｖｅｌ)等のような測定値が得られる。端末は、測定報告がトリガリングされると、前記測定値をソース基地局に送信し、これを受信したソース基地局は、前記測定値の大きさが上位Ｎ番までであるセルを候補セルに決定することができる。これをベスト(ｂｅｓｔ)Ｎ報告方式という。
【０１０６】
例えば、セルＡ１１００の測定値が１０、セルＢ１１０５の測定値が８、セルＣ１１１０の測定値が１５と仮定する。ベストＮ報告方式によってＮ＝２とすると、ソース基地局は、測定値の大きさが最大であるセルＣ１１１０及びその次の大きさを有するセルＡ１１００を候補セルに決定し、これに基づいて以下の表２のような候補セルリスト(Ｃａｎｄｉｄａｔｅ Ｃｅｌｌ Ｌｉｓｔ)を構成する。
【０１０７】
【表２】
2013534792.tif 000005
【０１０８】
表２を参照すると、候補セルリストは、候補セルインデックス及び搬送波周波数情報を含む。候補セルインデックスは、セルＣ１１１０とセルＡ１１００を含んで、これらの搬送波周波数情報は、各々、ｆ３(例えば、８２０ＭＨｚ)、ｆ１(例えば、８００ＭＨｚ)である。前記候補セルインデックスは、各候補セルを指示するインデックスであり、セルＣ１１１０は、２(０１０)、セルＡ１１００は０(０００)である。候補セルリスト内で候補セルインデックスが配置される順序は制限がない。例えば、前記Ｎ個のセルのうち測定値がもっとも大きいセルから小さいセル順(即ち、優先順位によって)に整列されてもよく、測定値と関係なしに任意に整列されてもよく、単純にインデックスの順序によってＮ個のセルが整列されてもよい。もし、前記Ｎ＝１と仮定すると、候補セルリストは、表３のように構成される。
【０１０９】
【表３】
2013534792.tif 000006
【０１１０】
もし、Ｎ＝２であり、ソース基地局とターゲット基地局が各セルの搬送波周波数情報を互いに既に知っている場合、搬送波周波数情報を送る必要がないため、候補セルリストは、表４のように候補セルインデックスのみを含むことができる。
【０１１１】
【表４】
2013534792.tif 000007
【０１１２】
しかしながら、もし、ターゲット基地局が搬送波周波数のみを必要とする場合、ソース基地局は、表５のように候補セルインデックスを除いたベストＮの搬送波周波数のみを含む候補セルリストを構成することができる。
【０１１３】
【表５】
2013534792.tif 000008
【０１１４】
図１２は、本発明の一実施形態に係る候補セルリストの構成方法を説明する説明図である。
【０１１５】
図１２を参照すると、候補セルリストは、端末が測定することができる全ての周波数リソースに対するセルを含むことができる。ただし、候補セルリストは、トップダウン(Ｔｏｐ−Ｄｏｗｎ)方式によって測定値が大きいセルから小さいセルの順序に整列されるように構成されたり、その反対にボトムアップ(Ｂｏｔｔｏｍ−Ｕｐ)方式によって測定値が小さいセルから大きいセルの順序に整列されるように構成されたりすることができる。
【０１１６】
端末は、セルＡ１２００、セルＢ１２０５、セルＣ１２１０、セルＤ１２１５、セルＥ１２２０の測定を実行する。これらの搬送波周波数は、各々、ｆ１、ｆ２、ｆ３、ｆ４、ｆ５である。例えば、セルＡ１２００、セルＢ１２０５、セルＣ１２１０、セルＤ１２１５、セルＥ１２２０の測定値は表６の通りであると仮定する。ここで、測定値は、ＲＳＲＰ又はＲＳＲＱのような量的情報(ｑｕａｎｔｉｔｉｅｓ)であり、ｄＢ値である。
【０１１７】
【表６】
2013534792.tif 000009
【０１１８】
表６を参照すると、トップダウン方式によって候補セルを整列すると、セルＤ１２１５＞セルＡ１２００＞セルＥ１２２０＞セルＢ１２０５＞セルＣ１２１０である。したがって、トップダウン方式による候補セルリストは、表７の通りである。
【０１１９】
【表７】
2013534792.tif 000010
【０１２０】
反対に、ボトムアップ方式によって候補セルを整列すると、セルＣ１２１０＞セルＢ１２０５＞セルＥ１２２０＞セルＡ１２００＞セルＤ１２１５である。したがって、ボトムアップ方式による候補セルリストは、表８の通りである。
【０１２１】
【表８】
2013534792.tif 000011
【０１２２】
ソース基地局は、候補セルリストがトップダウン方式又はボトムアップ方式により構成されたかどうかをターゲット基地局に知らせる必要がある。そのために、ソース基地局は、候補セルリスト構成方式に対する１ビット情報(フラッグ情報)をターゲット基地局に送信することもできる。例えば、前記構成方式に対する情報が１を示すと、候補セルリストがトップダウン方式により構成されることを示し、反対に、前記構成方式に対する情報が０を示すと、候補セルリストがボトムアップ方式により構成されることを示すことができる。
【０１２３】
もし、ソース基地局とターゲット基地局との間に候補セルリストがどんな方式により構成されるかを既に知っている場合、前記構成方式に対する情報は用いなくてもよい。
【０１２４】
ソース基地局は、各セルの実際測定値を含まず、各測定値によって配置される候補セルの順序のみをターゲット基地局に知らせることによって、ターゲット基地局は、上位Ｎ個のセル又は下位Ｍ個のセルを選択することができる。
【０１２５】
図１３は、本発明の一実施形態に係る候補セルリストの構成方法を説明する説明図である。
【０１２６】
図１３を参照すると、端末は、オペレータ(ｏｐｅｒａｔｏｒ)別又は通信システム毎に割り当てられる周波数帯域である動作バンド(Ｏｐｅｒａｔｉｎｇ Ｂａｎｄ)Ｆ１１３００又はＦ２１３５０上で通信を実行する。各動作バンドは、最低周波数点(ＦＬｏｗ)と最高周波数点(ＦＨｉｇｈ)として定義される。即ち、動作バンドＦ１１３００は、Ｆ１_ＬｏｗとＦ１_Ｈｉｇｈとして定義され、動作バンドＦ２１３５０は、Ｆ２_ＬｏｗとＦ２_Ｈｉｇｈとして定義される。そして、ＦＤＤシステムにおいて、ダウンリンクの動作バンドとアップリンクの動作バンドは違って定義され、ＴＤＤシステムにおいては、同じに定義される。動作バンドに対する一例は、以下の表９の通りである。
【０１２７】
【表９】
2013534792.tif 000012
【０１２８】
表９を参照すると、各動作バンドは、１から４０までとして表示(ｉｎｄｅｘ)されている。例えば、Ｆ１はインデックス４に対応され、Ｆ２はインデックス９に対応されることができる。端末、ソース基地局、及びターゲット基地局は、測定手順を実行するにあたって動作バンドのインデックスを用いることができる。例えば、ソース基地局は、予め端末に特定動作バンド内で測定を実行するようにするために、前記特定動作バンドのインデックスを測定に対する設定情報として知らせることができる。また、ソース基地局は、候補セルリストを構成する搬送波周波数が特定動作バンドに該当することを示すために動作バンドのインデックスを使用することができる。
【０１２９】
また、図１３を参照すると、Ｆ１１３００はセルＡ１３０５とセルＢ１３１０を含んで、Ｆ２１３５０はセルＣ１３５５、セルＤ１３６０、及びセルＥ１３６５を含む。これらの搬送波周波数は、各々、ｆ１、ｆ２、ｆ３、ｆ４、ｆ５である。例えば、セルＡ１３０５、セルＢ１３１０、セルＣ１３５５、セルＤ１３６０、セルＥ１３６５の測定値が表１０の通りであると仮定する。ここで、測定値は、ＲＳＲＰ又はＲＳＲＱのような量的情報であり、ｄＢ値である。
【０１３０】
【表１０】
2013534792.tif 000013
【０１３１】
候補セルリストを各動作バンド別に区分されるように構成すると、以下の表１１の通りである。
【０１３２】
【表１１】
2013534792.tif 000014
【０１３３】
表１１を参照すると、ソース基地局は、動作バンドインデックス、各動作バンドに属する候補セルインデックス及び搬送波周波数情報を含む候補セルリストを構成することができる。動作バンドＦ１において、セルＡ１３０５、セルＢ１３１０の測定値の大きさはセルＡ１３０５＞セルＢ１３１０であるため、セルＡ１３０５、セルＢ１３１０の順序に整列される。次に、動作バンドＦ２において、セルＣ１３５５、セルＤ１３６０、セルＥ１３６５の測定値の大きさはセルＤ１３６０＞セルＥ１３６５＞セルＣ１３５５であるため、セルＤ１３６０、セルＥ１３６５、セルＣ１３５５の順序に整列される。即ち、各動作バンド別にＲＳＲＰ又はＲＳＲＱに優れる候補セルの順序に候補セルリストが構成される。
【０１３４】
表１１は、各動作バンド内で候補セルがトップダウン方式に整列された候補セルリストの例である。しかしながら、候補セルリストは、以下の表１２のように各動作バンド内で候補セルがボトムアップ方式に整列されることもできる。
【０１３５】
【表１２】
2013534792.tif 000015
【０１３６】
図１４は、本発明の一実施形態によって集約可能(ａｇｇｒｅｇａｔａｂｌｅ)セルリストの構成方法を説明する説明図である。
【０１３７】
図１４を参照すると、端末は、セルＡ１４００、セルＢ１４０５、セルＣ１４１０、セルＤ１４１５、セルＥ１４２０の測定を実行する。これらの搬送波周波数は、各々、ｆ１、ｆ２、ｆ３、ｆ４、ｆ５である。しかしながら、与えられたセルは、集約可能であり(ａｇｇｒｅｇａｔａｂｌｅ)、又は集約可能でない(ｎｏｎ−ａｇｇｒｅｇａｔａｂｌｅ)。ここで、‘集約可能(ａｇｇｒｅｇａｔａｂｌｅ)’意味は、一例として、端末の性能(Ｃａｐａｂｉｌｉｔｙ)によって特定周波数、又は特定ＣＣの利用可能性(使用)が決定されることを含む。
【０１３８】
即ち、集約可能か否かは、端末、基地局又は動作帯域によって相対的に決定されることができ、必ず同一動作帯域に属するセル同士のみ集約可能であるものではなく、互いに異なる動作帯域に属しても集約可能であり、隣接しない(ｎｏｎ−ｃｏｎｔｉｇｕｏｕｓ)周波数のセル間にも集約可能である。
【０１３９】
一例として、第１の端末は３個のセルまで集約可能であり、第２の端末は２個のセルまで集約可能であり、３個のセルは集約可能でない。他の例として、第１の基地局は５個のセルまで集約可能であり、第２の基地局は４個のセルまでのみ集約可能であり、５個のセルは集約可能でない。また、他の例として、第１の動作帯域では３個のセルまで集約可能であるに比べて、第２の動作帯域では２個のセルまで集約可能である。
【０１４０】
ソース基地局は、端末の性能を考慮してセルＡ１４００、セルＢ１４０５、セルＣ１４１０を集約可能グループ１であると決定し、セルＤ１４１５、セルＥ１４２０を集約可能グループ２であると決定する。
【０１４１】
ソース基地局は、以下の表１３のように全ての候補セルのうち、集約可能なもの同士グルーピング(ｇｒｏｕｐｉｎｇ)した集約可能グループインデックス、各集約可能グループに属するセルインデックス、及び搬送波周波数を含む集約可能セルリストを構成することができる。
【０１４２】
【表１３】
2013534792.tif 000016
【０１４３】
したがって、ソース基地局は、前記集約可能セルリストを含むハンドオーバ要求メッセージをターゲット基地局に送ることができる。
【０１４４】
ここで、図１４による集約可能セルリストは、図１０の１０２０ステップで候補セルリストと共にソース基地局からターゲット基地局に送信されることができる。又は、集約可能セルリストは、候補セルリストを含むメッセージと相違する別途のメッセージを介してソース基地局からターゲット基地局に送信されることができる。
【０１４５】
図１５は、本発明の一実施形態に係るセンシブル(Ｓｅｎｓｉｂｌｅ)セルリストの構成方法を説明する説明図である。
【０１４６】
図１５を参照すると、端末は、セルＡ１５００、セルＢ１５０５、セルＣ１５１０、セルＤ１５１５、セルＥ１５２０の測定を実行する。これらの搬送波周波数は、各々、ｆ１、ｆ２、ｆ３、ｆ４、ｆ５である。ソース基地局は、特定の周波数特性の基準に基づいて、周波数特性が同一又は類似のセル同士グルーピングすることができる。
【０１４７】
例えば、特定の臨界周波数(ＦＴＨ)より小さい搬送波周波数のセルは、周波数グループ１に属し、特定の臨界周波数(ＦＴＨ)より大きい、又は同じ搬送波周波数のセルは、周波数グループ２に属する。これによって、ソース基地局は、表１４のように周波数グループインデックス(Ｆｒｅｑｕｅｎｃｙ Ｇｒｏｕｐ Ｉｎｄｅｘ)、各周波数グループに属する候補セルインデックス、及び各候補セルの搬送波周波数情報を含む候補セルリストを構成することができる。
【０１４８】
【表１４】
2013534792.tif 000017
【０１４９】
周波数特性によって分類された候補セルリストを用いると、ターゲット基地局は、周波数グループ情報に基づいて自分に有利な周波数を選択することができる。
【０１５０】
また、本発明によって、ソース基地局は、周波数類似感度として定義されるセルに対する情報、即ち、センシブル(Ｓｅｎｓｉｂｌｅ)セルリストを決定してターゲット基地局に伝達することができる。前記センシブル(Ｓｅｎｓｉｂｌｅ)セルリストは、特定の基準によって区別される１つのセル(又は複数のセル)に対する情報を含む。
【０１５１】
したがって、ソース基地局は、端末により測定されたＲＳＲＰ又はＲＳＲＱ値を確認し、これを決められた基準によって区別される範囲に属するセルを選択し、前記選択された少なくとも一つのセルをグループで作ることができる。このようなグループを周波数類似感度グループという。このとき、前記周波数類似感度グループは、各グループ別に相違する基準を有する。
【０１５２】
例えば、選択された任意のセル(ａ)の測定値と類似の１つのセル(又は複数のセル)は、周波数類似感度グループ１に属するようにする。そして、前記周波数類似感度グループ１を除いた１つのセル(又は複数のセル)の中から他の任意のセル(ｂ)を選択し、前記セル(ｂ)の測定値と類似の１つのセル(又は複数のセル)は、周波数類似感度グループ２に属するようにすることができる。
【０１５３】
ここで、ソース基地局は、ターゲット基地局のサービス環境を考慮して該当端末と無線通信が容易な、もしくは良好な品質の(ｇｏｏｄ ｑｕａｌｉｔｙ)任意のセルの中から一つを選択し、又は反対の場合として、該当端末と無線通信が不可能な、もしくは良好でない品質の(ｂａｄ ｑｕａｌｉｔｙ)セルの中から一つを選択し、周波数類似感度グループを設定することができる。又は、前記言及した基準と関係なしに、ランダムに任意の１つのセル(又は複数のセル)を選択し、周波数類似感度グループを設定することができる。このとき、前記ソース基地局とターゲット基地局とは、測定(ｍｅａｓｕｒｅｍｅｎｔ)ポリシーに対してそれぞれ連携されなければならない。
【０１５４】
一例として、周波数類似感度グループに属する１つのセル（又は複数のセル）を検索する方法は、一つのセルに対する測定値と次のセルの測定値とが一定閾値を基準とした内側にあるかを確認することと、グループに登録させることを含むことができる。
【０１５５】
ここで、測定値は、ＲＳＲＰ又はＲＳＲＱのような量的情報であり、ｄＢ値である。
【０１５６】
【表１５】
2013534792.tif 000018
【０１５７】
センシブル(Ｓｅｎｓｉｂｌｅ)セルリストを各周波数類似感度グループに区分されるように構成すると、以下の表１６の通りである。
【０１５８】
【表１６】
2013534792.tif 000019
【０１５９】
図１６は、本発明の一実施形態によるハンドオーバ実行方法により端末のＣＣが再設定される過程を示す説明図である。
【０１６０】
図１６を参照すると、ＯＰＥＲＡＴＩＯＮ１で、現在ソース基地局（ＳｅＮＢ）１６２１が５個のＣＣ、即ち、ＣＣ１、ＣＣ２、ＣＣ３、ＣＣ４、ＣＣ５を提供する。端末１６１０は、ＣＣ１、ＣＣ２、ＣＣ３を介してサービスを受けている状態である。この時、ＰＣＣはＣＣ３であり、ＳＣＣはＣＣ１、ＣＣ２である。ハンドオーバの準備のとき、端末１６１０は、前記５個のＣＣに対する測定を実行し、測定報告を介してその測定結果をソース基地局１６２１に送信する。
【０１６１】
ＯＰＥＲＡＴＩＯＮ２で、ソース基地局１６２１は、端末１６１０から受信した測定結果を用い、各ＣＣに対する候補セルリストを含むサービス状態情報をターゲット基地局（ＴｅＮＢ）１６２２に送信する。前記候補セルリストは、前記図１１乃至図１５による方法によって構成されることができ、トップダウン方式によると、ＣＣ３、ＣＣ４、ＣＣ５、ＣＣ２、ＣＣ１の順序に構成されると仮定する。
【０１６２】
また、ＯＰＥＲＡＴＩＯＮ２で、ソース基地局１６２１は、端末の性能を考慮して構成される集約可能(ａｇｇｒｅｇａｔａｂｌｅ)セルリストを含むサービス状態情報をターゲット基地局１６２２に送信することができる。
【０１６３】
また、ＯＰＥＲＡＴＩＯＮ２で、ソース基地局１６２１は、周波数類似感度に基づいて定義されるセルに対する情報を含むセンシブルセルリストを含むサービス状態情報をターゲット基地局１６２２に送信することができる。
【０１６４】
本発明の態様によるソース基地局１６２１は、前記候補セルリスト、前記集約可能セルリスト、前記センシブル(Ｓｅｎｓｉｂｌｅ)セルリストのうち少なくとも一つを含むサービス状態情報をターゲット基地局１６２２に送信することができる。
【０１６５】
このとき、ソース基地局１６２１は、前記センシブル(Ｓｅｎｓｉｂｌｅ)セルリストに含まれるセルのうち上位Ｌ個のセル又は下位Ｌ個のセルを候補セルに含む候補セルリストを構成してターゲット基地局１６２２に送信することができる。また、ソース基地局１６２１は、前記集約可能(ａｇｇｒｅｇａｔａｂｌｅ)セルリストに含まれるセルのうち上位Ｌ′個のセル又は下位Ｌ′個のセルを候補セルに含む候補セルリストを構成してターゲット基地局１６２２に送信することができる。
【０１６６】
したがって、ターゲット基地局１６２２は、受信された候補セルリスト、集約可能セルリスト、又はセンシブルセルリストのうち、少なくとも一つに基づき、自分のサービスサポート可否及び負荷程度を考慮し、端末１６１０のサービスをサポートするための少なくとも一つ以上の最終セルを決定する。前記最終セルは、リスト形態に送信されることができる。
【０１６７】
このとき、前記最終セルリストは、最終セルを指示するインデックス情報又は決められた順序(配列)によって送信されることができる。
【０１６８】
即ち、ターゲット基地局１６２２は、端末のサービスの品質を維持するための、決められた上位Ｎ個又は下位Ｍ個のセル、図１６の一例に係るＣＣ３、ＣＣ４、ＣＣ５を端末１６１０に割り当てるＣＣとして最終決定することができる。
【０１６９】
したがって、ターゲット基地局１６２２は、端末１６１０に割り当てるＣＣ３、ＣＣ４、ＣＣ５を設定(ｃｏｎｆｉｇｕｒａｔｉｏｎ)し、これらＣＣを含む最終セルリストをソース基地局１６２１にフィードバックする。
【０１７０】
ＯＰＥＲＡＴＩＯＮ３で、端末１６１０は、ターゲット基地局１６２２により決定されたリストによって、ＣＣ３、ＣＣ４、ＣＣ５を再設定することができる。前記状態で、端末１６１０は、ターゲット基地局１６２２から活性化指示(Ａｃｔｉｖａｔｉｏｎ ｉｎｄｉｃａｔｉｏｎ)を受信すると、端末１６１０は、最終的にＣＣ３、ＣＣ４、ＣＣ５からパケットを受信することができる活性化状態に変更される。
【０１７１】
前記のように、端末１６１０がターゲット基地局１６２２で使用するようになる複数のＣＣに対する情報を予め知ることができるため、ハンドオーバ過程及びハンドオーバ直後でも、ソース基地局１６２１で受ける水準のサービスの提供を受けることができる。
【０１７２】
図１７は、本発明の一実施形態による端末のハンドオーバ実行方法を説明するフローチャートである。
【０１７３】
図１７を参照すると、端末は、測定(Ｍｅａｓｕｒｅｍｅｎｔ)を実行する(Ｓ１７００)。端末は、全搬送波周波数(ｃａｒｒｉｅｒ ｆｒｅｑｕｅｎｃｙ)、全ＣＣ又は全セル別に測定を実行することができる。又は、決められた一部の搬送波周波数に測定を実行することができる。
【０１７４】
端末は、測定結果を収集した測定報告をソース基地局に送信する(Ｓ１７０５)。この時、測定報告は、サービス状態情報を含む。サービス状態情報は、前記表１のような情報を含む。特に、サービス状態情報は、前記図１１乃至図１５に記載された方法による候補セルリストだけでなく、その他、多様な実施例により構成されることができる集約可能セルリスト及びセンシブル(Ｓｅｎｓｉｂｌｅ)セルリストをさらに含むことができる。
【０１７５】
端末は、ハンドオーバ指示メッセージをソース基地局から受信する(Ｓ１７１０)。前記ハンドオーバ指示メッセージは、ターゲット基地局により決定された最終セルリストを含むことができる。
【０１７６】
端末は、最終セルリストにより決定されたセルに対してＲＲＣ設定又は再設定を実行する(Ｓ１７１５)。前記最終セルリストは、主サービングセルと副サービングセルに対する情報を提供するため、端末は、ターゲット基地局で使われる主サービングセルと副サービングセルに対して予めＲＲＣ設定又は再設定することができる。設定又は再設定されたセル又はＣＣは、非活性化状態又は活性化状態である。
【０１７７】
端末は、前記ＲＲＣ設定又は再設定されたセル又はＣＣ上にハンドオーバを実行する(Ｓ１７２０)。まず、端末は、主サービングセルにハンドオーバを試みることができ、前記主サービングセルへのハンドオーバが成功しなかった場合には副サービングセルにハンドオーバを追加的に試みることもできる。
【０１７８】
図１８は、本発明の一実施形態によるソース基地局のハンドオーバ実行方法を説明するフローチャートである。
【０１７９】
図１８を参照すると、ソース基地局は、端末から測定報告を受信する(Ｓ１８００)。測定報告は、ソース基地局が端末に設定した周波数に対する測定結果を含む。ソース基地局は、候補セルリストを構成する(Ｓ１８０５)。候補セルリストは、ターゲット基地局で端末に対する主サービングセル又は副サービングセルになることができる少なくとも一つの候補セルを羅列したリストである。候補セルの選択方法とリスト羅列方式は、前記図１１乃至図１５の説明と同様である。
【０１８０】
また、ソース基地局は、前記候補セルリストと別途に前記センシブルセルリスト又は集約可能セルリストを構成することもできる。また、本発明の態様によれば、ソース基地局は、本発明によってセンシブルセルリスト又は集約可能セルリストにより構成(ｓｅｔ)される候補セルリストを構成することもできる。
【０１８１】
ソース基地局は、前記候補セルリスト、センシブルセルリスト、又は集約可能セルリストのうち、少なくとも一つのリストを含むサービス状態情報をハンドオーバ要求メッセージに含んでターゲット基地局に送信する(Ｓ１８１０)。ソース基地局は、ハンドオーバ要求メッセージに対する応答として最終セルリストを含むハンドオーバＡＣＫメッセージをターゲット基地局から受信する(Ｓ１８１５)。
【０１８２】
前記ハンドオーバ要求メッセージと前記ハンドオーバＡＣＫメッセージは、バックボーンネットワーク(ｂａｃｋｂｏｎｅ ｎｅｔｗｏｒｋ)を介して送信又は受信されることができ、特に、Ｘ２インターフェースを介して送信又は受信されることができる。
【０１８３】
ソース基地局は、端末のハンドオーバを決定し(Ｓ１８２０)、最終セルリストを含むハンドオーバ指示メッセージを端末に送信する(Ｓ１８２５)。
【０１８４】
図１９は、本発明によるターゲット基地局のハンドオーバ実行方法を説明するフローチャートである。
【０１８５】
図１９を参照すると、ターゲット基地局は、サービス状態情報を含むハンドオーバ要求メッセージをソース基地局から受信する(Ｓ１９００)。前記サービス状態情報は、特定端末に対する候補セルリスト、センシブルセルリスト、又は集約可能セルリストのうち、少なくとも一つのリストを含む。
【０１８６】
ターゲット基地局は、前記候補セルリストに含まれている複数の候補セルの適切性を検討し、必要の場合、候補セルを再構成し、前記端末に最も適すると判断される最終的なセルを含む最終セルリストを構成する(Ｓ１９０５)。
【０１８７】
ターゲット基地局は、前記最終セルリストに含まれる最終セルを設定又は再設定する(Ｓ１９１０)。ここで、設定又は再設定される候補セルは、主サービングセル、又は副サービングセルである。
【０１８８】
ターゲット基地局は、ハンドオーバ受諾制御を完了し(Ｓ１９１５)、前記最終セルリストを含むハンドオーバＡＣＫメッセージをソース基地局に送信する(Ｓ１９２０)。
【０１８９】
図２０は、本発明によるソース基地局とターゲット基地局のブロック図である。
【０１９０】
図２０を参照すると、ソース基地局２０００は、測定報告受信部２００５、セルリスト構成部２０１０、及びメッセージ送受信部２０１５を含む。
【０１９１】
測定報告受信部２００５は、端末から測定報告を受信する。測定報告は、ソース基地局２０００が前記端末に設定したセル又は周波数に対する測定結果を含む。測定結果は、前記測定報告設定情報により決定されたセルのＲＳＲＰ、ＲＳＲＱ、電力レベルなどのような測定可能な事項の測定値をいう。
【０１９２】
セルリスト構成部２０１０は、前記測定結果を用いてターゲット基地局２０５０で使用可能な候補セルリストを構成する。候補セルリストの構成のために、ベストＮ報告方式、トップダウン方式、ボトムアップ方式、集約可能グルーピング方式、及び周波数特性によるグルーピング方式などが使われることができる。
【０１９３】
セルリスト構成部２０１０は、前記候補セルリスト、前記集約可能セルリスト、及び前記センシブルセルリストのうち少なくとも一つを構成することができる。ここで、前記センシブルセルリストに含まれるセルのうち、上位Ｌ個のセル又は下位Ｌ個のセルを候補セルに含む候補セルリストを構成することができる。又は、前記集約可能セルリストに含まれるセルのうち、上位Ｌ′個のセル又は下位Ｌ′個のセルを候補セルに含む候補セルリストを構成することもできる。
【０１９４】
メッセージ送受信部２０１５は、ハンドオーバ要求メッセージをターゲット基地局２０５０に送信する。ハンドオーバ要求メッセージは、前記候補セルリスト、前記集約可能セルリスト、及び前記センシブルセルリストのうち少なくとも一つと前記表１のように平均送信率、ソース基地局に対するコンポーネントキャリア使用個数、端末の性能、及び測定報告したセルに対するＲＳＲＰ又はＲＳＲＱのようなサービス状態情報を含む。
【０１９５】
ターゲット基地局２０５０は、メッセージ送受信部２０５５、最終セルリスト構成部２０６０を含む。
【０１９６】
メッセージ送受信部２０５５は、ソース基地局２０００からハンドオーバ要求メッセージを受信し、ハンドオーバ要求メッセージに含まれている候補セルリストを抽出して最終セルリスト構成部２０６０に伝達する。
【０１９７】
最終セルリスト構成部２０６０は、多様な判断、検出方法によって前記候補セルリストに含まれている候補セルの適切性を検討し、前記端末に最も適するセルを最終的に選択する。最終セルリスト構成部２０６０は、前記選択された最終セルを含むリストとして構成する。
【０１９８】
メッセージ送受信部２０５５は、最終セルリストを含むハンドオーバＡＣＫメッセージをソース基地局２０００に送信する。
【０１９９】
前述した全ての機能は、前記機能を遂行するようにコーディングされたソフトウェアやプログラムコードなどによるマイクロプロセッサ、制御器、マイクロ制御器、ＡＳＩＣ(Ａｐｐｌｉｃａｔｉｏｎ Ｓｐｅｃｉｆｉｃ Ｉｎｔｅｇｒａｔｅｄ Ｃｉｒｃｕｉｔ)などのようなプロセッサにより実行されることができる。前記コードの設計、開発、及び具現は、本発明の説明に基づいて当業者に自明である。
【０２００】
以上、本発明に対して実施例を参照して説明したが、該当技術分野の通常の知識を有する者は、本発明の技術的思想及び領域から外れない範囲内で本発明を多様に修正及び変更させて実施可能であることを理解することができる。したがって、本発明は、前述した実施例に限定されるものではなく、特許請求の範囲内の全ての実施例を含む。
【図１】
2013534792.tif 000020
【図２】
2013534792.tif 000021
【図３】
2013534792.tif 000022
【図４】
2013534792.tif 000023
【図５】
2013534792.tif 000024
【図６】
2013534792.tif 000025
【図７】
2013534792.tif 000026
【図８】
2013534792.tif 000027
【図９】
2013534792.tif 000028
【図１０】
2013534792.tif 000029
【図１１】
2013534792.tif 000030
【図１２】
2013534792.tif 000031
【図１３】
2013534792.tif 000032
【図１４】
2013534792.tif 000033
【図１５】
2013534792.tif 000034
【図１６】
2013534792.tif 000035
【図１７】
2013534792.tif 000036
【図１８】
2013534792.tif 000037
【図１９】
2013534792.tif 000038
【図２０】
2013534792.tif 000039
【国際調査報告】
2013534792.tif 000040
2013534792.tif 000041